【事件の表示】
　特願２０００−３７０６８６「弾球遊技機」拒絶査定不服審判事件〔平成１３年　６月　５日出願公開、特開２００１−１４９５９０〕について、次のとおり審決する。
【結　論】
　本件審判の請求は、成り立たない。
【理　由】
１．手続の経緯 ・本願発明
　本願は、平成１０年１０月９日に出願した特願平１０−２８７９６２号の一部を平成１２年１２月５日に新たな特許出願としたものであって、平成１４年７月１１日付で拒絶査定がなされ、これに対し、同年８月９日に拒絶査定に対する審判請求がなされ、その後当審において、平成１８年７月２１日付で拒絶理由が通知され、これに対し、同年９月２１日付で手続補正がなされたものであり、その請求項１に係る発明（以下、「本願発明」という。）は、平成１８年９月２１日付手続補正書により補正された明細書及び図面の記載からみて、その特許請求の範囲の請求項１に記載された、以下のとおりのものと認める。
　
「遊技領域区画部材により形成され遊技球が落下する遊技領域を有する遊技盤と、
　前記遊技盤に設けられ、始動条件が成立すると複数の特別図柄を可変表示させる表示領域を少なくとも備えた画像表示装置を含んで構成された可変図柄表示装置と、
　前記可変図柄表示装置の下方に配置され、普通図柄が変動して特定図柄となるとき羽根部材が所定時間開放される普通電動役物と、
　前記普通電動役物の下方に配置され、前記画像表示装置に表示される前記複数の特別図柄が特定の組合せであるとき特別遊技状態となる大入賞装置とを備えた弾球遊技機であって、
　前記可変図柄表示装置が前記遊技領域の略中央部に配置され、
　遊技者にとって第１の有利な遊技状態に係る第１の判定と、第２の有利な遊技状態に係る第２の判定とを実行する判定手段を備え、
　前記第１の判定は、前記複数の特別図柄が前記特定の組合せになり、前記大入賞装置が所定回数開放されて前記特別遊技状態が実行されるか否かの判定であり、前記第２の判定は、前記普通図柄が前記特定図柄となり、前記普通電動役物の羽根部材が所定時間開放されるか否かの判定であり、
　前記普通電動役物は、前記第１の判定において前記複数の特別図柄が前記特定の組合せとなって前記特別遊技状態が実行される場合には、前記第２の判定において前記普通図柄が前記特定図柄となるときでも、前記羽根部材が開放されないことを特徴とする弾球遊技機。」
　
２．刊行物記載事項
　拒絶査定の備考に付記され、当審における平成１８年７月２１日付で通知した拒絶理由に引用された特開平９−２９９５６４号公報（以下「引用例」という。）の記載事項
「【００１８】
【実施の態様】
【実施例】図１は本発明を実施する遊技板の正面図で、図２は要部の一部断面とした拡大正面図である。図中の符号１はパチンコ機の遊技板、２は遊技板面３に付設するレール４によって囲まれ形成された遊技部で、５は遊技部の中央上部に設置されたセンター役物である。
【００１９】遊技部２は遊技板面３に向けて発射される打球をレール４を案内に受け入れ、入賞口６，７、或いは大入賞口と称している入賞口８のいずれかに受け入れてセーフ球とし、賞球放出の対象とするか、或いは最下部に形成するアウト口９に拾ってアウト球とするように遊技を構成設定するもので、この内部には前記センター役物５を始め上記の各入賞口６，７，８、そして、案内された打球を変則落下させる障害釘１０や表示乃至飾りのランプケース１１等が設備される。
【００２０】センター役物５は特定図柄を表示する可変液晶表示装置を内蔵しており、その矩形をなす図柄表示装置１２を中央部に備え、……」
　
「【００３４】入賞口６は図示するようにここでは電動式のチューリップ型の入賞口となっており、更にここでは前記特別図柄の表示装置１２に表示される特別図柄を作動させる始動スイッチを内蔵する始動口となっている。
【００３５】打球Ａが下方の判定スイッチ３２を通過すると、入賞口６の前面に設けた普通図柄表示装置３３が作動し、次に予め設定した図柄，数字において作動が停止すると入賞口６の翼片６ａが開放し、飛入条件が好転するようにしてある。この翼片６ａの開放はタイマーを組込むことによって一定時間継続して開放状態を維持させるようにしても、また次の打球Ａが同じくスイッチ３２に通過したとき閉じるようにしてもよく、種々の遊技設定が可能である。
【００３６】上記翼片６ａの開放は飛入条件の緩和であり、入賞口６に打球Ａが飛入したときスイッチにより検出し、信号を発して前記特別図柄を作動させることになる。ここにおいて予め設定する図柄の組合せ、数字の組合せが達成されたとき大入賞口８を開放し打球の入賞を大幅に緩和して多数の賞球の放出を許すことになる。尚、特別図柄の作動中に続けて入賞口６に飛入した打球は予め設定した個数カウントし、記憶して上記作動停止後再作動させて設定回数の範囲でこれを繰り返すようにしてある。」
　
　上記記載事項及び図面によれば、引用例には、以下の発明（以下、引用発明という。）が記載されている。 
「レール４に囲まれ打球が落下する遊技部２を有する遊技板１と、
　遊技部２に設置され、入賞口６に打球Ａが飛入したとき作動させる複数の特別図柄を表示する特別図柄表示装置１２と、
　前記センター役物５の下方に配置され、普通図柄表示装置３３が作動して
予め設定した図柄，数字において作動が停止すると翼片６ａが一定時間開放される電動式のチューリップ型の入賞口６と、
　前記入賞口６の下方に配置され、前記特別図柄表示装置１２に表示される前記複数の特別図柄が予め設定した図柄の組合せ、数字の組合せが達成されたとき開放し打球の入賞を大幅に緩和して多数の賞球の放出を許す大入賞口８とを備えたパチンコ機であって、 
　前記センター役物５が前記遊技部２の中央上部に設置され、
  入賞口６に打球Ａが飛入したときスイッチにより検出し、信号を発して前記特別図柄を作動させ、予め設定する図柄の組合せ、数字の組合せが達成されたとき大入賞口８を開放し打球の入賞を大幅に緩和して多数の賞球の放出を許し、
　普通図柄表示装置３３が作動し、予め設定した図柄，数字において作動が停止すると入賞口６の翼片６ａが一定時間開放し、飛入条件が好転するようにしてあるパチンコ機。」
　
３．対比
　引用発明における「レール４に囲まれ打球が落下する遊技部２」は本件補正後の請求項１に係る発明の「遊技領域区画部材により形成され遊技球が落下する遊技領域」に相当し、以下同様に、「遊技板１」は「遊技盤」に、「入賞口６に打球Ａが飛入」は「始動条件が成立」に、「特別図柄表示装置１２」は「画像表示装置」に、「センター役物５」は「可変図柄表示装置」に、「翼片６ａ」は「羽根部材」に、「一定時間」は「所定時間」に、「入賞口６」は「普通電動役物」に、「大入賞口８を開放し打球の入賞を大幅に緩和して多数の賞球の放出を許す」は「大入賞装置が所定回数開放されて特別遊技状態が実行される」に、「大入賞口８」は「大入賞装置」に、「打球」は「遊技球」に、「パチンコ機」は「弾球遊技機」に相当する。
　
　また、引用発明の可変図柄表示装置は、遊技領域の中央上部に設置されるものであり、図１も参照すると、遊技領域の略中央に配置されるものといえる。
　
　そして、引用発明は、複数の特別図柄が特定の組合せになると、大入賞装置を開放し特別遊技状態が実行されるものであるから、第１の有利な遊技状態に係る第１の判定をしているものといえ、第１の判定を実行する判定手段を備えるものといえる。
　
　さらに、引用発明は、普通図柄が特定図柄になると、普通電動役物の羽根部材が所定時間開放されるものであるから、第２の有利な遊技状態に係る第２の判定をしているものといえ、第２の判定を実行する判定手段を備えるものといえる。
 
　したがって、両者は、  
「遊技領域区画部材により形成され遊技球が落下する遊技領域を有する遊技盤と、 
　前記遊技盤に設けられ、始動条件が成立すると複数の特別図柄を可変表示させる表示領域を少なくとも備えた画像表示装置を含んで構成された可変図柄表示装置と、 
　前記可変表示装置の下方に配置され、普通図柄が変動して特定図柄となるとき羽根部材が所定時間開放される普通電動役物と、 
　前記普通電動役物の下方に配置され、前記画像表示装置に表示される前記複数の特別図柄が特定の組合せであるとき特別遊技状態となる大入賞装置とを備えた弾球遊技機であって、  
　前記可変図柄表示装置が前記遊技領域の略中央部に配置され、 
　遊技者にとって第１の有利な遊技状態に係る第１の判定と、第２の有利な遊技状態に係る第２の判定とを実行する判定手段を備え、 
　前記第１の判定は、前記複数の特別図柄が前記特定の組合せになり、前記大入賞装置が所定回数開放されて前記特別遊技状態が実行されるか否かの判定であり、前記第２の判定は、前記可変図柄表示装置の下方に設けられる普通電動役物の羽根部材が所定時間開放されるか否かの判定である弾球遊技機。」
の点で一致し、以下の点で相違する。
　
＜相違点＞  
　本願発明は、普通電動役物は、第１の判定において複数の特別図柄が特定の組合せとなって特別遊技状態が実行される場合には、第２の判定において普通図柄が特定図柄となるときでも、羽根部材が開放されないものであるのに対し、引用発明では、そのような構成は備えていない点。 　  
　 
４．当審の判断 
　遊技者にとって有利な遊技状態の判定が２つ同時にあった場合に、一方の判定を優先させてその判定に基づく実行をさせ、他方の判定に基づく実行をさせないようにすることは、例えば、特開平４−１０２４８２号公報（特別遊技中は特定入賞手段の作動スイッチ８７のオン・オフの判別を行なわない、第６頁右下欄１７行目〜第７頁左上欄２行目参照。）、特開平４−１０２４８８号公報（可変入賞装置４および普通入賞球装置５が同時に駆動されることを防止する、第７頁左上欄第１７行目〜同頁右上欄第７行目参照。）、特開平９−１１７５５０号公報（大当たり時を除いて、中図柄に再変動図柄が停止表示された場合に再可変表示制御が行われる、段落【００２１】、段落【００２６】及び段落【００６３】参照。）に記載されているように、弾球遊技機に関わる技術分野では周知技術であるから、この周知技術を引用発明に適用すること、及び適用に際して優先判定を第１の判定と特定することは、当業者が容易になし得るものであり、当該特定による効果も予測の範囲内である。
　
　そして、本願発明の作用効果も、引用発明及び周知技術から当業者が予測できる範囲のものである。 
　
　したがって、本願発明は、引用発明及び周知技術に基づいて当業者が容易に発明をすることができたものである。 
　
５．むすび 
　以上のとおり、本願発明は、引用発明及び周知技術に基づいて、当業者が容易に発明をすることができたものであるから、特許法第２９条第２項の規定により特許を受けることができないものである。 
　よって、結論のとおり審決する。